(57)【要約】      （修正有）【課題】箱を開封する際に開封済みであることを簡単に表示でき、保管棚や保管ケースの引き出しに保管中の箱から開封済みのものを即時視認できる開封済み表示付き包装用箱を提供する。【解決手段】包装用箱Ｂは、長手方向両端の少なくとも一方が外側の板２１と内側の板１８とを備え、外側の板の一部に切り取り部２３を有し、切り取り部の切り取り後の外部に現れる内側の板１８の面に「開封済」の文字を有する。箱を開封する際に、切り取り部を切り取り、箱の長手方向両端の少なくとも一方に「開封済」の文字を外部に表示する。【選択図】図４
0003206125.tif 000002
【実用新案登録請求の範囲】
【請求項１】
物品を包装する包装用箱であって、
箱の長手方向両端の少なくとも一方は外側の板と内側の板とを備え、
前記外側の板の一部に切り取り部を有し、
前記外側の板の前記切り取り部の切り取り後の外部に現れる前記内側の板の面に開封済みの文字又は開封済みを意味する表記を有し、
箱を開封する際に、前記切り取り部を切り取り、箱の長手方向両端の少なくとも一方に開封済みの文字又は開封済みを意味する表記を外部に表示する、
ことを特徴とする開封済表示付き包装用箱。
【請求項２】
箱の長手方向両端の少なくとも一方は物品を取り出すための開口で、外側の板としての蓋と内側の板としてのフラップとにより封止され、前記蓋に切り取り部を有し、前記フラップに開封済みの文字又は開封済みを意味する表記を有する請求項１に記載の開封済表示付き包装用箱。
【請求項３】
箱の長手方向両端の少なくとも一方は箱の４側面の接続部で、外側の板としての一方の接続端の一側面と内側の板としての他方の接続端の連結部が結合され、前記一側面に切り取り部を有し、前記連結部に開封済みの文字又は開封済みを意味する表記を有する請求項１に記載の開封済表示付き包装用箱。
【請求項４】
切り取り部は外側の板の縁部から略コ字形に若しくは略Ｕ字形に若しくは略Ｃ字形に又は外側の板内に円形に若しくは略長円形に若しくは略多角形に切り取り線が付けられて形成される請求項１乃至３のいずれかに記載の開封済表示付き包装用箱。
【考案の詳細な説明】
【技術分野】
【０００１】
本考案は、医薬品その他各種の物品を包装するのに使用する包装用箱に関し、特に、保管棚や保管ケースに保管中の包装用箱から開封済みのものを即時に視認できるようにした開封済表示付き包装用箱に関する。
【背景技術】
【０００２】
一般に、病院や調剤薬局などの医療機関では、包装用箱に包装された医薬品が包装用箱に入れられた状態で、保管棚や保管ケースなどの医薬品の保管場所に保管される。
【０００３】
この種の包装用箱は、特許文献１、２などに開示されているように、基本構成として、正面、背面、左右両側面の４側面と、左右両側面の上下各端部からそれぞれ４側面の上下開口上に延びるフラップと、正面、背面の上下各端部から４側面の上下開口上を塞ぐ天面蓋及び底面蓋とを備え、全体が縦長又は横長の直方体状の箱形に構成される。この場合、医薬品の中でも、錠剤やカプセルなどを包装する箱にあっては、錠剤やカプセルが複数個ずつ１枚のＰＴＰシートに収納され、さらにアルミ包材パックに封入されるので、全体として、複数枚単位のＰＴＰシート全体又はアルミ包材パック全体の大きさ、形状に適合する大きさの直方体形状に形成され、液状の薬剤にあっては、薬剤がバイアルなどに収納されるので、全体として、バイアルなどの大きさ、形状に適合する大きさの直方体形状に形成され、さらに箱内部には緩衝材が付設される。
このように医薬品の包装用箱は全体が縦長又は横長の直方体状の箱形になっているので、医療機関では、これらの医薬品が、保管棚には箱の長手方向を保管棚の奥行き方向に向けて横置きにして多段的に積み重ねられ、保管ケースの引き出しの中には箱の長手方向を引き出しの上下方向に向けて縦置きにして並列に並べられて、保管される。
【０００４】
また、医療機関では、保管棚や保管ケースの引き出しの中に、多くの種類の医薬品が保管され、また、同じ種類の医薬品でも包装用箱が既に開封済みで現在使用中のものと新品で箱が未開封のものとが混在されている。そして、医療機関では、当然のことながら、開封済みの箱の医薬品から使用していき、この箱内の医薬品がなくなれば、未開封の箱を開封して医薬品を取り出すため、医薬品の入った箱から医薬品を取り出す場合は、その都度、開封済みの箱かどうかを確認するのが通常である。この場合、開封済みの箱であることを視認しやすいように、箱に、油性ペンなどを使って開封済みと分かるような文字やマークを書き入れたり、輪ゴムを掛けたりしておくことが多い。
【先行技術文献】
【特許文献】
【０００５】
【特許文献１】特開２０１４−１４１２７６公報
【特許文献２】特開２００６−９６３５１公報
【考案の概要】
【考案が解決しようとする課題】
【０００６】
このように医療機関では、医薬品の保管場所に、同じ種類の医薬品でも、箱が開封済みのものと未開封のものが混在されることから、医薬品毎に箱が開封済みか未開封かを確認する必要があり、この確認を容易にするために、箱に油性ペンなどで開封済みと分かるような文字やマークを書き入れたり輪ゴムを掛けたりするなど道具を使った煩わしい作業を行わなければならない。
また、この場合、医薬品は、既述のとおり、保管棚には箱の長手方向を奥行き方向に向けて横置きにして多段的に積み重ねられて、保管棚上の各医薬品の箱は面積の小さい天面蓋又は底面蓋が前方に向けられるため、また、保管ケースの引き出しの中には箱の長手方向を引き出しの上下方向に向けて縦置きにして並列に並べられて、引き出しの中の各医薬品の箱は面積の小さい天面蓋又は底面蓋が上方に向けられるため、箱の開封済みの文字やマークは箱の天面蓋又は底面蓋に表示する必要がある。
【０００７】
そこで、本考案は、このような従来の問題に鑑みなされたもので、この種の包装用箱において、箱の開封後に開封済みであることを簡単に表示でき、保管棚や保管ケースに保管中の箱から開封済みのものを即時視認できるようにすること、を目的とする。
【課題を解決するための手段】
【０００８】
上記目的を達成するために、本考案は、
物品を包装する包装用箱であって、
箱の長手方向両端の少なくとも一方は外側の板と内側の板とを備え、
前記外側の板の一部に切り取り部を有し、
前記外側の板の前記切り取り部の切り取り後の外部に現れる前記内側の板の面に開封済みの文字又は開封済みを意味する表記を有し、
箱を開封する際に、前記切り取り部を切り取り、箱の長手方向両端の少なくとも一方に開封済みの文字又は開封済みを意味する表記を外部に表示する、
ことを要旨とする。
この場合、箱の長手方向両端の少なくとも一方は物品を取り出すための開口で、外側の板としての蓋と内側の板としてのフラップとで封止され、前記蓋に切り取り部を有し、前記フラップに開封済みの文字又は開封済みを意味する表記を有することが好ましい。
箱の長手方向両端の少なくとも一方は箱の４側面の接続部で、外側の板としての一方の接続端の一側面と内側の板としての他方の接続端の連結部が結合され、前記一側面に切り取り部を有し、前記連結部に開封済みの文字又は開封済みを意味する表記を有することが好ましい。
切り取り部は外側の板の縁部から略コ字形に若しくは略Ｕ字形に若しくは略Ｃ字形に又は外側の板内に円形に若しくは略長円形に若しくは略多角形に切り取り線が付けられて形成されることが好ましい。
【考案の効果】
【０００９】
本考案の開封済表示付き包装用箱によれば、箱の長手方向両端の少なくとも一方に、箱の開封時に、外側の板の切り取り部を切り取り、その切り取り後の外部に現れる内側の板の面に開封済みの文字又は開封済みを意味する表記を表示するようにしたので、箱の開封後に箱の長手方向両端の少なくとも一方に開封済みであることを簡単に表示でき、保管棚や保管ケースに保管中の箱の中から開封済みの箱であることを即時視認することができる、という本考案独自の格別な効果を奏する。
【図面の簡単な説明】
【００１０】
【図１】本考案の一実施の形態における開封済表示付き包装用箱の全体構成を示す斜視図（（ａ）は切り取り部の切り取り前の斜視図（ｂ）は切り取り部の切り取り後の斜視図）
【図２】同包装用箱の組み立て前の紙基材を示す平面図（展開図）
【図３】同包装用箱の紙基材の要部を拡大して示す平面図
【図４】同包装用箱の使用例を示す要部斜視図（（ａ）は切り取り部の切り取り前の図（ｂ）は切り取り部の切り取り後の図）
【図５】本考案の他の実施の形態における開封済表示付き包装用箱の特に切り取り部の構成を示す図
【考案を実施するための形態】
【００１１】
次に、この考案を実施するための形態について図を用いて説明する。
図１に開封済表示付き包装用箱を示している。
図１に示すように、開封済表示付き包装用箱Ｂ（以下、単に包装用箱Ｂ、箱Ｂと称する場合がある。）は、物品として医薬品を包装するのに使用されるもので、この箱Ｂでは、特に、箱Ｂの長手方向両端の少なくとも一方は外側の板２１と内側の板１８とを備え、外側の板２１の一部に切り取り部２３を有し、外側の板２１の切り取り部２３の切り取り後の外側に現れる内側の板１８の面に開封済みの文字又は開封済みを意味する表記を有する。
この包装用箱Ｂの場合、箱Ｂは、４側面１１−１４と、４側面１１−１４の両端を封じる天面蓋２１及び２つのフラップ１６、１８、底面外蓋２０、底面内蓋２２及び２つのフラップ１７、１９（図２参照）とを備え、この場合、４側面１１−１４がそれぞれ縦（上下方向）に長い長方形に形成され、この４側面１１−１４の上端に天面蓋２１が略四角形に、２つのフラップ１６、１８（天面右フラップ１６、天面左フラップ１８）がそれぞれ略台形に形成され、下端に底面外蓋２０が略台形に、底面内蓋２２が略台形に、２つのフラップ１７、１９（底面右フラップ１７、底面左フラップ１９）がそれぞれ略台形に形成されて、全体として縦に長い直方体状に構成される。このようにしてこの箱Ｂでは、箱Ｂの長手方向両端の少なくとも一方が物品を取り出すための開口で、外側の板としての天面蓋２１と内側の板としての２つフラップ１６、１８とで封止され、天面蓋２１に切り取り部２３を有し、一方のフラップ１８（天面左フラップ１８）に「開封済」の文字が印刷により記入される。また、この場合、箱Ｂの長手方向両端の他方もまた開口になり、外側の板としての底面外蓋２０と内側の板としての底面内蓋２２及び２つフラップ１７、１９とで封止され、底面外蓋２０に切り取り部２３を有し、一方のフラップ１７（底面右フラップ１７）に「開封済」の文字が印刷により記入される。
【００１２】
この開封済表示付き包装用箱Ｂは、一枚のブランクシートから一体的に打ち抜かれて形成された一枚の紙基材（Ｐ）からなり、この紙基材（Ｐ）は各部が所定の順序で折り曲げられ、所定の各接着位置が接着固定されて組み立てられる。
【００１３】
図２にこの紙基材Ｐを示している。なお、この図２には紙基材Ｐの表面（組み立て後に表側となる面）が現れている。
図２に示すように、この紙基材Ｐは、全体が上下方向に長い直方体形状に組み立て可能に、直方体形状に組み立て後の状態で、右側面１１、正面１２、左側面１３、背面１４、及び右側面１１に重合されて背面１４と右側面１１との連結面１５をなす相互に折れ線Ｌ１−Ｌ４を介して連接して形成される４側面形状部Ｐ１１−Ｐ１５（右側面形状部Ｐ１１、正面形状部Ｐ１２、左側面形状部Ｐ１３、背面形状部Ｐ１４、及び連結面形状部Ｐ１５）と、右側面形状部Ｐ１１及び左側面形状部Ｐ１３の上下方向（長手方向）の両端にそれぞれ折れ線Ｌ５，Ｌ６及びＬ７，Ｌ８を介して形成され、直方体形状に組み立て後の状態で天面右フラップ１６、底面右フラップ１７及び天面左フラップ１８、底面左フラップ１９をなす天面右フラップ形状部Ｐ１６、底面右フラップ形状部Ｐ１７及び天面左フラップ形状部Ｐ１８、底面左フラップ形状部Ｐ１９と、正面形状部Ｐ１２の下端に折れ線Ｌ９を介して形成され、直方体形状に組み立て後の状態で底面外蓋２０をなす底面外蓋形状部Ｐ２０と、背面形状部Ｐ１４の上下方向の両端にそれぞれ折れ線Ｌ１０、Ｌ１１を介して形成され、直方体形状に組み立て後の状態で天面蓋２１をなす天面蓋形状部Ｐ２１、底面内蓋２２をなす底面内蓋形状部Ｐ２２、及び天面蓋形状部Ｐ２１の先端延長上に折れ線Ｌ１２を介して連続して形成され、天面蓋２１の接着片２１１をなす横長の帯状（この場合、半レーストラック形状）の接着片形状部Ｐ２１１とを有する。
この場合、４側面形状部Ｐ１１−Ｐ１５はそれぞれ上下に長い長方形に形成され、正面形状部Ｐ１２、背面形状部Ｐ１４がそれぞれ右側面形状部Ｐ１１、左側面形状部Ｐ１３よりも少し幅広に形成される。天面蓋形状部Ｐ２１は略四角形状に形成され、底面外蓋形状部Ｐ２０、底面内蓋形状部Ｐ２２、各フラップ形状部Ｐ１６、Ｐ１７、Ｐ１８、Ｐ１９はそれぞれ略台形状に形成され、天面蓋形状部Ｐ２１、底面外蓋形状部Ｐ２０はそれぞれ、底面内蓋形状部Ｐ２２、各フラップ形状部Ｐ１６、Ｐ１７、Ｐ１８、Ｐ１９よりも大きく形成され、底面内蓋形状部Ｐ２２は各フラップ形状部Ｐ１６、Ｐ１７、Ｐ１８、Ｐ１９よりも少し大きく形成される。また、連結面形状部Ｐ１５は背面形状部Ｐ１４の縁部に沿って略台形に右側面形状部Ｐ１１よりも小さい大きさに形成される。
また、この場合、正面形状部Ｐ１２の上端に正面１２に接着後の天面蓋２１を切り離すための破断線Ｃ１が略コ字形の溝形に形成され、この正面形状部Ｐ１２の下端に、この箱Ｂを廃棄するときに、箱Ｂが折り畳みやすくなるように、底面外蓋２０を切り離すための破断線Ｃ２が折れ線Ｌ９の位置から正面形状部Ｐ１２内に略円弧状に、さらにその両端から折れ線Ｌ９上に沿って直線状に形成される。
そして、この紙基材Ｐにおいては、箱Ｂの長手方向両端となる部分の少なくとも一方は物品を取り出すための開口で、この開口を封止する外側の板としての天面蓋形状部Ｐ２１と内側の板としての天面右フラップ形状部Ｐ１６及び天蓋左フラップ形状部Ｐ１８とを備え、天面蓋形状部Ｐ２１の一部に切り取り部２３が形成され、天面左フラップ形状部Ｐ１８の一部に「開封済」の文字が設けられる。
この箱Ｂの場合、図３に示すように、切り取り部２３は天面蓋形状部Ｐ２１の右側縁部（箱Ｂが直方体形状に組み立て後の状態で左側となる縁部、以下同じ。）から天面蓋形状部Ｐ２１内に切り取り線２３１が付けられて形成される。この場合、天面蓋形状部Ｐ２１の右半部（箱Ｂが直方体形状に組み立て後の状態で左半部となる部分、以下同じ。）で先端側（箱Ｂが直方体形状に組み立て後の状態で前部側）に右側縁部から略コ字形に切り取り線２３１として破断線（ミシン目加工）が付けられて形成される。なお、この切り取り部２３の右側縁部は予め円弧状に形成されて、その両端が天面蓋形状部Ｐ２１の直線状の右側縁部上で少し天面蓋形状部Ｐ２１内に引込んだ状態となす。
「開封済」の文字は、図２に示すように、この紙基材Ｐが直方体形状に組み立てられた後の状態で、内側の板となる天面左フラップ形状部Ｐ１８内の天面蓋形状部Ｐ２１の切り取り部２３に対応する位置に印刷により記入される。
紙基材Ｐはこのようにして形成され、この紙基材Ｐの正面形状部Ｐ１２、背面形状部Ｐ１４、左右の各側面形状部Ｐ１１、Ｐ１３、天面蓋形状部Ｐ２１、底面外蓋形状部Ｐ２０の表面にはそれぞれ、医薬品に関する各種の情報（文字）や装飾用のデザインなどが印刷される。
【００１４】
このようにしてこの紙基材Ｐは各形状部Ｐ１１−Ｐ２２が各折れ線Ｌ１−Ｌ１２を介して折り曲げられ、縦（上下方向）に長い直方体形状の箱形に組み立てられる。すなわち、正面１２をなす正面形状部Ｐ１２に対して右側面形状部Ｐ１１が折れ線Ｌ１を介して直角に折り曲げられて右側面１１をなし、同様に、正面形状部Ｐ１２に対して左側面形状部Ｐ１３が折れ線Ｌ２を介して直角に折り曲げられて左側面１３をなし、この左側面１３に対して背面形状部Ｐ１４が折れ線Ｌ３を介して直角に折り曲げられて背面１４をなす。そして、この背面１４に対して連結面形状部Ｐ１５が折れ線Ｌ４を介して直角に折り曲げられ、右側面１１の内側に重合されて連結面１５をなす。この右側面１１の内側で右側面１１と連結面１５が接着剤を介して連結され、これにより４側面１１−１４、１５が組み立てられる。この状態から、右、左各側面１１、１３の下端の底面左右の各フラップ形状部Ｐ１７、Ｐ１９が折れ線Ｌ７、Ｌ８を介して直角に折り曲げられて底面左右の各フラップ１７、１９をなし、背面１４の下端の底面内蓋形状部Ｐ２２が折れ線Ｌ１１を介して直角に折り曲げられて底面内蓋２２をなし、そして、正面１２の下端の底面外蓋形状部Ｐ２０が折れ線Ｌ９を介して直角に折り曲げられて底面外蓋２０をなし、それぞれが底面で重合される。この底面外蓋２２の内側で底面外蓋２２と底面内蓋２０が接着剤を介して連結され、底面が封止される。また、右、左各側面１１、１３の上端の天面左右の各フラップ形状部Ｐ１６、Ｐ１８が折れ線Ｌ５、Ｌ６を介して直角に折り曲げられて天面左右の各フラップ１６、１８をなし、背面１４の上端の天面外蓋形状部Ｐ２１が折れ線Ｌ１０を介して直角に折り曲げられて天面蓋２１をなし、それぞれが天面で重合される。そして、天面蓋２１の接着片形状部Ｐ２１１が折れ線Ｌ１２を介して内側に略直角に折り曲げられて、接着片２１１が形成され、この接着片２１１が正面１２の内側に差し込まれ、この接着片２１１と正面１２が接着剤を介して接着固定されて、天面が封止される。これにより、この紙基材Ｐは直方体形状の箱形に組み立てられ、この場合、天面蓋２１、底面外蓋２０にそれぞれ、切り取り部２３が切り取り可能に設けられ、これら切り取り部２３の下に天面左フラップ１８、底面右フラップ１７の表面に印刷された「開封済」の文字が隠される。
【００１５】
包装用箱Ｂはこのようにして構成され、錠剤やカプセルなどの医薬品が複数個ずつ１枚のＰＴＰシート（プレススルーパックシート）に収納されて、このＰＴＰシートが所定の枚数ずつアルミ包材パックに封入された状態で、この包装用箱Ｂに包装され、医療機関などへ供給される。
そして、医療機関では、この包装用箱Ｂに収容された医薬品を使用するため、包装用箱Ｂを開封する際に、図４に示すように、この箱Ｂの天面蓋２１又は底面外蓋２０又はその両方から切り取り部２３を切り取って、天面蓋２１又は底面外蓋２０又はその両方に「開封済」の文字を表示しておく。この場合、切り取り部２３はその左縁部が略円弧状で天面蓋２１の左縁部から引込んでいるので、指先に掛けやすく、引き起こしやすくなっており、切り取り部２３を切り取り線２３１に沿って容易かつ確実に切り取ることができる。そして、この箱Ｂから医薬品を取り出した後は、この箱Ｂを保管棚や保管ケースの引き出しに収納することになるが、この箱Ｂが、保管棚には箱Ｂの長手方向を奥行き方向に向けて横置きにして多段的に積み重ねられ、保管ケースの引き出しの中には箱Ｂの長手方向を引き出しの上下方向に向けて縦置きにして並列に並べられた場合に、保管棚上の箱Ｂは面積の小さい天面蓋２１又は底面外蓋２０が前方に向けられ、引き出しの中の箱Ｂは面積の小さい天面蓋２１又は底面外蓋２０が上方に向けられて、箱Ｂの天面蓋２１又は底面外蓋２０に表示された「開封済」の文字が見えやすく、視認性がよい。この場合、箱Ｂの天面蓋２１や底面外蓋２０に医薬品の情報（文字）や装飾用のデザインなどが印刷されていても、「開封済」の文字は天面蓋２１の下の天面左フラップ１８に印刷されていて、天面蓋２１の切り取り部２３の切り取り後の窓２３０を通して、表面に現れるので、「開封済」の文字は天面蓋２１や底面外蓋２０に印刷された文字やデザインに紛れることがなく、視認性に支障はない。これにより、この医薬品の箱Ｂが開封済みか未開封かの区別がつきやすくなり、未使用（未開封）のものを使用中のものと誤って開封してしまうのを防ぐことができる。
【００１６】
以上説明したように、この開封済表示付き包装用箱Ｂによれば、箱Ｂの長手方向両端の少なくとも一方に、箱Ｂの開封時に、外側の板２１の切り取り部２３を切り取り、その切り取り後の外部に現れる内側の板１８の面に「開封済」の文字を表示するようにしたので、箱Ｂの開封後に箱Ｂの長手方向両端の少なくとも一方に開封済みであることを道具を使うことなしに簡単に表示でき、保管棚や保管ケースの引き出しに保管中の医薬品の箱の中から開封済みの箱を即時視認することができる。したがって、未使用（未開封）のものを使用中のものと誤って開封してしまうのを防止することができる。
【００１７】
また、この実施の形態では、切り取り部２３は外側の板である天面蓋２１、底面外蓋２０の縁部から略コ字形に切り取り線２３１が付けられて形成されているが、この切り取り線の形状は種々に変更可能である。
図５（ａ）に、第２の実施の形態として、切り取り部２３が外側の板２１の縁部から略コ字形に切り取り線２３１が付けられて形成された例であるが、この場合、幅方向、奥行き方向の寸法を共に大きくして、全体を拡大してある。
図５（ｂ）に、第３の実施の形態として、切り取り部２３が外側の板２１の縁部から略コ字形に切り取り線２３１が付けられて形成された例であるが、この場合、幅方向の寸法を大きくし、奥行き方向の寸法を小さくして、縦長にしてある。
図５（ｃ）に、第４の実施の形態として、切り取り部２３が外側の板２１の縁部から略Ｕ字形に切り取り線２３１が付けられて形成された場合を例示している。
図５（ｄ）に、第５の実施の形態として、切り取り部２３が外側の板２１の縁部から略Ｃ字形に切り取り線２３１が付けられて形成された場合を例示している。
なお、ここでは、特に図示していないが、切り取り線２３１は略Ｖ字形であってもよいことは勿論である。
図５（ｅ）に、第６の実施の形態として、切り取り部２３が外側の板２１内に円形に切り取り線２３１が付けられて形成された場合を例示している。
図５（ｆ）に、第７の実施の形態として、切り取り部２３が外側の板２１内に長円形に切り取り線２３１が付けられて形成された場合を例示している。
なお、ここでは、特に図示していないが、切り取り線は四角形や三角形などの多角形でもよいことは勿論である。
このようにしても上記実施の形態と同様の作用効果を得ることができる。
【００１８】
なお、上記各実施の形態では、内側の板１８、１７の面に「開封済」の日本語の文字を表示するものとしたが、「ＯＰＥＮ」などの英語表記でもよく、さらに、開封済みを意味する表記であれば、文字のみでなく、マークや図画又はそれらの組み合わせであってもよい。このようにしても上記と同様の作用効果を得ることかできる。
また、上記各実施の形態では、包装用箱Ｂが縦に長い直方体形状の箱で、箱Ｂの長手方向両端の少なくとも一方が物品を取り出すための開口で、外側の板としての蓋２１、２０と内側の板としてのフラップ１８，１６、１９，１７とにより封止され、蓋２１、２０に切り取り部２３を有し、フラップ１８、１７に開封済みの文字又は開封済みを意味する表記を有するものとしたが、包装用箱が横に長い直方体形状の箱で、箱の長手方向両端の少なくとも一方が箱の４側面の接続部で、外側の板としての４側面の一方の接続端の一側面と内側の板としての他方の接続端の連結部とにより接着されるものでも、一側面に切り取り部を有し、連結部に開封済みの文字又は開封済みを意味する表記を有するものとしてもよい。また、この場合、４側面の接続部でない箇所でも、当該箇所を外側の板と内側の板とによる２重構造とし、外側の板に切り取り部を有し、内側の板に開封済みの文字又は開封済みを意味する表記を有するものとしてもよい。このようにしても上記と同様の作用効果を得ることかできる。
さらに、上記各実施の形態では、医薬品を包装するのに使用する開封済表示付き包装用箱を例示したが、本考案の開封済表示付き包装用箱は、医薬品に関らず、各種の物品を包装する箱にも同様に適用でき、同様の作用効果を奏することは勿論である。
【符号の説明】
【００１９】
Ｂ  開封済表示付き包装用箱
１１  右側面
１２  正面
１３  左側面
１４  背面
１５  連結面
１６  天面右フラップ（内側の板）
１７  底面右フラップ（内側の板）
１８  天面左フラップ（内側の板）
１９  底面左フラップ（内側の板）
２０  底面外蓋（外側の板）
２１  天面蓋（外側の板）
２１１  接着片
２２  底面内蓋（内側の板）
２３  切り取り部
２３０  窓
２３１  切り取り線
Ｐ  紙基材
Ｐ１１  右側面形状部
Ｐ１２  正面形状部
Ｐ１３  左側面形状部
Ｐ１４  背面形状部
Ｐ１５  連結面形状部
Ｐ１６  天面右フラップ形状部
Ｐ１７  底面右フラップ形状部
Ｐ１８  天面左フラップ形状部
Ｐ１９  底面左フラップ形状部
Ｐ２０  底面外蓋形状部
Ｐ２１  天面蓋形状部
Ｐ２１１  接着片形状部
Ｐ２２  底面内蓋形状部
Ｌ１−Ｌ１２  折れ線
Ｃ１、Ｃ２  破断線
【図１】
0003206125.tif 000003
【図２】
0003206125.tif 000004
【図３】
0003206125.tif 000005
【図４】
0003206125.tif 000006
【図５】
0003206125.tif 000007